(57)【要約】【課題】スロット式の読み出し／書き込み装置に対応可能であり、しかも、カード型メディアの取り付け／取り外しを容易に行うことができるカード型メディア用アダプタを提供すること。【解決手段】回転中心から一定半径以内に形成され、かつ、記録部９０を含む中央部分８５と、中央部分８５よりも薄く形成され、かつ、中央部分８５より外側に設けられた外側部分８６とを備えるカード型メディア８０を装着するためのアダプタを、次のような構成とする。円盤状のベース部４０と、カード型メディア８０の中央部分８５が少なくとも収まる大きさを有し、開口の中心がベース部４０の回転中心と合致するようにベース部４０に開設された開口部２０と、開口部２０の外側に設けられ、カード型メディア８０の外側部分８６を再剥離可能に粘着固定する粘着層３５を有する保持部３０とを備える。【選択図】図１
2005339714.tif 000002
【特許請求の範囲】
【請求項１】
回転中心から一定半径以内に形成され、かつ、記録部を含む中央部分と、該中央部分よりも薄く形成され、かつ、中央部分より外側に設けられた外側部分とを備えるカード型情報記録担体を装着するためのカード型情報記録担体用アダプタであって、
円盤状のベース部と、
前記カード型情報記録担体の中央部分が少なくとも収まる大きさを有し、開口の中心が前記ベース部の回転中心と合致するように該ベース部に開設された開口部と、
該開口部の外側に設けられ、前記カード型情報記録担体の外側部分を再剥離可能に粘着固定する粘着層を有する保持部とを備えることを特徴とするカード型情報記録担体用アダプタ。
【請求項２】
前記保持部は、前記ベース部に対して窪ませて形成されており、該保持部とベース部との境界に形成される段差の高さが、前記カード型情報記録担体の外側部分の厚さ以下であることを特徴とする請求項１に記載のカード型情報記録担体用アダプタ。
【請求項３】
前記保持部の厚さは、カード型情報記録担体の中央部分と外側部分との境界に形成される段差の高さ以下であることを特徴とする請求項１または請求項２に記載のカード型情報記録担体用アダプタ。
【請求項４】
前記開口部は、カード型情報記録担体の中央部分と一致する形状であることを特徴とする請求項１ないし請求項３のいずれかに記載のカード型情報記録担体用アダプタ。
【請求項５】
前記保持部は、カード型情報記録担体の外側部分との形状と一致する形状であることを特徴とする請求項４に記載のカード型情報記録担体用アダプタ。
【請求項６】
前記粘着層は、前記保持部に塗布された樹脂製の接着剤の層であることを特徴とする請求項１ないし請求項５のいずれかに記載のカード型情報記録担体用アダプタ。
【発明の詳細な説明】
【技術分野】
【０００１】
本発明は、カード型の情報記録担体を装着するために用いられるアダプタに関する。
【背景技術】
【０００２】
カード型の情報記録担体（以下では、「カード型メディア」という）として、携帯型のカードに光学的手段を用いて大量のデジタル情報を記録したものが知られている。この種のカード型メディアは、具体的には、キャッシュカードやクレジットカード大の樹脂製カードに、光学的手段を用いて、大量のデジタル情報、例えば、各種の個人情報や取引情報、案内情報、あるいは映像、音楽、ゲームプログラムなどを記録して携帯できるようになっている。
【０００３】
このようなカード型メディアの一例に、回転中心から一定半径以内に形成され、かつ、記録部を含む中央部分と、該中央部分よりも薄く形成され、かつ、中央部分より外側に設けられた外側部分とを備える構成のものが知られている（例えば、特許文献１参照）。カード型メディアの一方の面の中央には、円形の記録部が設けられており、この記録部に、ＣＤやＤＶＤと同様の記録方式によってデジタル情報を書き込むようにしている。書き込まれた情報の再生は、ＣＤ用やＤＶＤ用の読み出し装置によって行なわれる。
【０００４】
このようなカード型メディアを、横型（水平型）のトレイを備えるトレイ式の書き込み／読み出し装置にセットするには、カード型メディアの中央部分と外側部分の境界に形成される段差を利用して、トレイ上に載置するようにする。この結果、カード型メディアが高速回転しても所定位置から脱離することがなく、書き込み／読み出し装置による情報の書き込み／読み出しを可能としている。
【０００５】
ところが、上記のように横型トレイの書き込み／読み出し装置には対応できても、縦型（垂直型）のトレイを備えるトレイ式の書き込み／読み出し装置には、単にカード型メディアをトレイに載せるだけでは、対応できないという問題点がある。そこで、従来では、カード型メディアを装着するためのカード型メディア用アダプタが提案されている（例えば、特許文献２、特許文献３参照）。このようなカード型メディア用アダプタによれば、カード型メディアを、円形の情報記録担体と同じように扱うことが可能となり、これにより、縦型トレイの書き込み／読み出し装置にも対応でき、縦型トレイの書き込み／読み出し装置による情報の書き込み／読み出しが可能となる。
【特許文献１】特開２００１−１０１７１９号公報
【特許文献２】特開２０００−１１５７３号公報
【特許文献３】特開平７−６５４２号公報
【発明の開示】
【発明が解決しようとする課題】
【０００６】
しかしながら、従来のカード型メディア用のアダプタには、次のような問題点があった。
【０００７】
上記特許文献２に記載されているカード型メディア用アダプタは、カード型メディアの上側を係止するための複数の爪と、カード型メディアの下方を支持する複数の規制部材を備えている。このようなアダプタにカード型メディアが装着されると、カード型メディアの両面はこれらの爪と規制部材とにより挟まれるようになっている。
【０００８】
また、上記特許文献３に記載されているカード型メディア用アダプタは、カード型メディアの両面を挟む複数の上アングルと下アングルとを備えている。このようなアダプタにカード型メディアが装着されると、カード型メディアの両面はこれらの上アングルと下アングルとにより挟まれるようになっている。
【０００９】
このように、従来では、カード型メディアの両面を係止用の爪やアングル等で挟むことによって、カード型メディアをアダプタに装着していたため、これらの爪等の部分がアダプタの両面に対して突出し、その部分が他の部分よりも厚くなる。この結果、この厚くなった部分が障害となって、スロット式の書き込み／読み出し装置に対応できないという問題点があった。つまり、スロット式の書き込み／読み出し装置に、カード型メディアを装着したアダプタを出し入れする際に、上述のような厚くなった部分が引っ掛かってしまうという問題点があった。また、アダプタへのカード型メディアの取り付け／取り外しを容易に行うことができず煩わしいという問題点があった。
【００１０】
本発明は、上述した従来技術の問題点を鑑みてなされたものであり、係止用の爪等を有する従来のアダプタでは対応不可能であったスロット式の読み出し／書き込み装置に対応可能であり、しかも、カード型メディアの取り付け／取り外しを容易に行うことができるようなカード型メディア用のアダプタを提供することを目的とする。
【課題を解決するための手段】
【００１１】
本発明は、上述の課題を解決するための手段を以下のように構成している。すなわち、回転中心から一定半径以内に形成され、かつ、記録部を含む中央部分と、該中央部分よりも薄く形成され、かつ、中央部分より外側に設けられた外側部分とを備えるカード型情報記録担体を装着するためのカード型情報記録担体用アダプタであって、円盤状のベース部と、前記カード型情報記録担体の中央部分が少なくとも収まる大きさを有し、開口の中心が前記ベース部の回転中心と合致するように該ベース部に開設された開口部と、該開口部の外側に設けられ、前記カード型情報記録担体の外側部分を再剥離可能に粘着固定する粘着層を有する保持部とを備えることを特徴とする。
【００１２】
このような構成のカード型情報記録担体用アダプタにカード型情報記録担体を装着するには、開口部にカード型情報記録担体の中央部分を嵌め込み、粘着層が設けられた保持部にカード型メディアの外側部分を面接触させて粘着固定させる。逆に、カード型情報記録担体用アダプタに装着されたカード型情報記録担体を取り外すには、カード型情報記録担体の記録部側の面のうち記録部以外の部分を押して、保持部からカード型情報記録担体の外側部分を剥離させる。このように、係止用の爪等を有する従来のアダプタと比べると、カード型情報記録担体用アダプタへのカード型情報記録担体の取り付け／取り外しを極めて容易に行うことができ、カード型情報記録担体用アダプタを繰り返し使用できる。しかも、係止用の爪等を設けていないシンプルな構成のため、容易かつ安価に製造することができる。
【００１３】
本発明のカード型情報記録担体用アダプタにおいて、前記保持部は、前記ベース部に対して窪ませて形成されており、該保持部とベース部との境界に形成される段差の高さＴ２が、前記カード型情報記録担体の外側部分の厚さｔ２以下であることを特徴とする。
【００１４】
また、本発明のカード型情報記録担体用アダプタにおいて、前記保持部の厚さＴ３は、カード型情報記録担体の中央部分と外側部分との境界に形成される段差の高さｔ３以下であることを特徴とする。
【００１５】
このような構成のカード型情報記録担体用アダプタによれば、段差の高さＴ２を、カード型情報記録担体の外側部分の厚さｔ２以下とすることで、カード型情報記録担体を装着した際、ベース部の表面がカード型情報記録担体の印刷面（平坦な面）に対して突出することがなくなる。
【００１６】
また、保持部の厚さＴ３を、カード型情報記録担体の段差の高さｔ３以下とすることで、カード型情報記録担体を装着した際、ベース部の裏面がカード型情報記録担体の中央部分に対して突出することがなくなる。
【００１７】
このように、カード型情報記録担体用アダプタの厚さを、装着されるカード型情報記録担体の各部の厚さに応じて規制することで、カード型情報記録担体を装着した際、カード型情報記録担体用アダプタのカード型情報記録担体の両面に対して突出することがなくなる。これにより、係止用の爪等を有する従来のアダプタでは対応不可能であったスロット式の読み出し／書き込み装置にも対応可能となる。
【００１８】
本発明のカード型情報記録担体用アダプタにおいて、前記開口部は、カード型情報記録担体の中央部分と一致する形状であることを特徴とする。
【００１９】
また、本発明のカード型情報記録担体用アダプタにおいて、前記保持部は、カード型情報記録担体の外側部分との形状と一致する形状であることを特徴とする。
【００２０】
このように、カード型情報記録担体用アダプタの開口部や保持部の形状を、装着されるカード型情報記録担体の各部の形状に応じて規制することで、カード型情報記録担体を装着するときの位置合わせを行い易くなり、また、カード型情報記録担体の装着が安定する。
【００２１】
本発明のカード型情報記録担体用アダプタにおいて、前記粘着層は、前記保持部に塗布された樹脂製の接着剤の層であることを特徴とする。樹脂製の接着剤としては、粘着と剥離を繰り返し可能なものが用いられる。
【００２２】
このような構成のカード型情報記録担体用アダプタによれば、カード型情報記録担体を装着した際、カード型情報記録担体用アダプタの表面に平行な力が作用しても、接着剤の粘着力によりカード型情報記録担体は装着された位置から容易にずれたりしなくなる。一方、カード型情報記録担体用アダプタの表面に垂直な方向の成分を有する力が作用すると、カード型情報記録担体はカード型情報記録担体用アダプタから容易に取り外される。これにより、カード型情報記録担体の外側部分を、保持部に粘着固定したり、保持部から剥がしたりすることで、カード型情報記録担体用アダプタへのカード型情報記録担体の取り付け／取り外しを容易に行うことができ、カード型情報記録担体用アダプタを繰り返し使用できる。また、樹脂製の接着剤を極めて薄く塗布しておくことで、粘着層の厚さの影響をほとんど考慮しなくてもよくなる。
【発明の効果】
【００２３】
本発明は、上述のような構成であるから、係止用の爪等を有する従来のアダプタでは対応不可能であったスロット式の読み出し／書き込み装置に対応可能となる。また、カード型情報記録担体用アダプタへのカード型情報記録担体の取り付け／取り外しを極めて容易に行うことができ、カード型情報記録担体用アダプタを繰り返し使用できる。
【発明を実施するための最良の形態】
【００２４】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００２５】
図１は、本発明を適用するカード型の情報記録担体（以下では、「カード型メディア」という）用のアダプタの一実施形態を示す斜視図、図２は同じく平面図、図３は同じく底面図である。
【００２６】
図１〜図３に示すように、カード型メディア用アダプタ（以下では、単に、「アダプタ」という）１０は、円盤状のベース部４０と、ベース部４０の中央部に形成される開口部２０および保持部３０とを備えている。保持部３０には、カード型メディア８０の外側部分８６を再剥離可能に粘着固定するための粘着層３５が設けられている。以下では、このような粘着層を有するものを保持部と称する。アダプタ１０の外周の直径は、具体的には、一般のＣＤの直径と同じ約１２ｃｍとなっている。アダプタ１０の材質は、特に限定されないが、成形やコストの点から樹脂であることが好ましい。
【００２７】
なお、以下では、アダプタ１０において、装着されたカード型メディア８０の印刷面８３側の面を印刷面６０と称し、この印刷面８３の逆の面、つまり、装着されたカード型メディア８０の記録部９０側の面を記録面７０と称する。また、外側とは、回転中心から外方に延びる半直線上において、回転中心からの距離が大きいことを意味し、逆に、内側とは、回転中心からの距離が小さいことを意味する。また、カード型メディア８０をアダプタ１０に装着するとは、後述するように、カード型メディア８０の外側部分８６を保持部３０に粘着固定させて、カード型メディア８０をアダプタ１０に固定することを意味する。
【００２８】
ここで、アダプタ１０に装着されるカード型メディア８０について、図４を用いて説明する。図４に示すように、カード型メディア８０は、一般のカード類に近似する大きさに形成されている。具体的には、樹脂製の基板８１が短辺約５６ｍｍ×長辺約８５ｍｍの矩形に形成されている。基板８１の中央には、直径約１５ｍｍの孔部８２が表裏を貫通して形成されている。また、基板８１の各角部が角丸に面取り加工されて回転中心から各角部までの寸法が約５０ｍｍとなっている。
【００２９】
基板８１の一方の面（図４中の裏面）は平坦な印刷面８３となっており、この印刷面８３に文字や図形等のいわゆる印刷情報が記録されている。基板８１の他方の面（図４中の表面）は、回転中心から半径約４０ｍｍ以内の中央部分８５がその外側部分８６よりも若干厚く形成されている。外側部分８６は、略小判型の中央部分（内側部分）８５の外側に２つ形成され、中央部分８５と外側部分８６との境界に円弧状の段差８７が形成されている。具体的な寸法の一例を示すと、中央部分８５の厚さｔ１は約１．２ｍｍ、外側部分８６の厚さｔ２は約０．６ｍｍで、全体として一般のＣＤの厚さと略同じになっている。段差８７の高さｔ３は、（ｔ１−ｔ２）と表すことができ、この場合、約０．６ｍｍとなっている。
【００３０】
この中央部分８５が形成された面の中央部には、中央の孔部８２と同心円状に、デジタル情報を書き込むための記録部９０が形成されている。記録部９０の大きさは、直径が基板８１の短辺寸法よりも小さい円形の範囲内である。この記録部９０に、ＣＤやＤＶＤ等と同様の記録方式によってデジタル信号情報が書き込まれる。
【００３１】
このように、カード型メディア８０は、記録部９０を含む中央部分８５と、この中央部分８５よりも薄く形成され、かつ、中央部分８５より外側に設けられた外側部分８６とを備えている。このようなカード型メディア８０をアダプタ１０に装着して、アダプタ１０を書き込み／読み出し装置にセットすることによって、書き込み／読み出し装置によりカード型メディア８０の記録部９０に記録されている情報を読み出したり、カード型メディア８０の記録部９０に情報を書き込んだりすることを可能としている。
【００３２】
次に、アダプタ１０のベース部４０について、図１〜図３を用いて説明する。ベース部４０は所定の厚さＴ１に形成されている。ベース部４０の両面（印刷面６０・記録面７０）は、平坦であることが望ましい。このベース部４０の厚さＴ１は、上述したカード型メディア８０の中央部分８５の厚さｔ１以下であればよく（Ｔ１≦ｔ１）、特に限定されず適宜変更することができる。図示した例では、ベース部４０の厚さＴ１を、カード型メディア８０の中央部分８５の厚さｔ１と一致させて、具体的には、約１．２ｍｍとしている。
【００３３】
続いて、アダプタ１０の開口部２０について、図１〜図３を用いて説明する。開口部２０は、上述したカード型メディア８０の中央部分８５が少なくとも収まる大きさを有し、開口の中心がベース部４０の回転中心と合致するように、ベース部４０に開設されている。
【００３４】
開口部２０の形状は、カード型メディア８０の中央部分８５が収まるような形状であれば、特に限定されず適宜変更することができる。好ましくは、図示した例のように、カード型メディア８０の中央部分８５がちょうど収まる形状とする。つまり、開口部２０の形状を略小判型として、カード型メディア８０の中央部分８５の形状と一致させる。開口部２０の形状を、カード型メディア８０の中央部分８５の形状と一致させた場合には、カード型メディア８０を装着した際、開口部２０の内周縁の一部とカード型メディア８０の円弧状の段差８７とが略隙間のない状態で接するとともに、開口部２０の内周縁の残りの部分と、カード型メディア８０の基板８１の外周の一部とが略隙間のない状態で接する。
【００３５】
次に、アダプタ１０の保持部３０について、図１〜図３を用いて説明する。保持部３０は、開口部２０の外側に、上述したカード型メディア８０の外側部分８６の一部または全部を保持するように形成されている。図示した例では、保持部３０は、開口部２０の外側に２つ１組で形成されている。
【００３６】
保持部３０に設けられる粘着層３５は、保持部３０に塗布された樹脂製の接着剤の層として形成されている。この接着剤により、カード型メディア８０の外側部分８６を、保持部３０に粘着固定したり、保持部３０から剥がしたりすることを可能としている。また、カード型メディア８０の外側部分８６を保持部３０に、粘着と剥離を繰り返して行うことを可能としている。なお、接着剤は、保持部３０の全域に塗布されていてもよいし、保持部３０のカード型メディア８０の外側部分８６と接する部分のうち、一部の領域に塗布されていてもよい。
【００３７】
このような粘着層３５を保持部３０に設けることで、カード型メディア８０を装着した際、印刷面６０に平行な力が作用しても、接着剤の粘着力によりカード型メディア８０は装着された位置から容易にずれたりしなくなる。これにより、例えば、書き込み／読み出し装置による情報の書き込み／読み出しを行うとき、アダプタ１０を高速回転させても、装着されたカード型メディア８０の位置はずれない。これに対して、印刷面６０に垂直な方向の成分を有する力が作用すると、カード型メディア８０はアダプタ１０から容易に取り外される。このように、粘着層３５を有する保持部３０は、カード型メディア８０の外側部分８６を再剥離可能に粘着固定する部分として設けられている。また、樹脂製の接着剤を極めて薄く（例えば、後述する段差５０の高さＴ２よりも極めて薄く）塗布しておくことで、粘着層３５の厚さの影響をほとんど考慮しなくてもよくなる。樹脂製の接着剤は、薄く塗布した場合であっても、適当な粘着力と、粘着と剥離を繰り返し可能なものであれば、その種類は、特に限定されない。具体的には、住友スリーエム（株）製の４５９１ＨＭや、４５９１ＨＬを採用することができる。
【００３８】
保持部３０は、ベース部４０の印刷面６０と同一平面上に形成してもよいが、この場合には、カード型メディア８０を装着した際、カード型メディア８０の外側部分８６の厚さｔ２の分だけ、カード型メディア８０の基板８１と印刷面６０との間に段差が形成される。したがって、ベース部４０の印刷面６０に対して、所定の高さだけ窪ませて保持部３０を形成することが好ましい。この場合、保持部３０は、ベース部４０よりも薄く形成されて、ベース部４０との境界に段差５０が形成される。このとき、段差５０の高さＴ２は、保持部３０の厚さをＴ３とすると、（Ｔ１−Ｔ３）と表すことができる。
【００３９】
さらに、段差５０の高さＴ２は、カード型メディア８０の外側部分８６の厚さｔ２以下ですることが好ましい（Ｔ２≦ｔ２）。図示した例では、段差５０の高さＴ２を、カード型メディア８０の外側部分８６の厚さｔ２と一致させて、具体的には、約０．６ｍｍとしている。この場合には、上述したように樹脂製の接着剤を極めて薄く塗布しておくことで、カード型メディア８０を装着した際、カード型メディア８０の印刷面８３と印刷面６０とが略同一平面上に位置するようになる。
【００４０】
またさらに、保持部３０の厚さＴ３を、カード型メディア８０の段差８７の高さｔ３以下であることが好ましい（Ｔ３≦ｔ３）。図示した例では、保持部３０の厚さＴ３を、カード型メディア８０の段差８７の高さｔ３と一致させて、具体的には、約０．６ｍｍとしている。この場合には、上述したように樹脂製の接着剤を極めて薄く塗布しておくことで、カード型メディア８０を装着した際、カード型メディア８０の中央部分８５の表面と記録面７０とが略同一平面上に位置するようになる。
【００４１】
保持部３０の形状は、その内側に形成される開口部２０にカード型メディア８０の中央部分８５が収まり、カード型メディア８０の外側部分８６の一部または全部と面接触するような形状であれば、特に限定されず適宜変更することができる。この場合、好ましくは、図示した例のように、カード型メディア８０の外側部分８６の形状と一致させる。保持部３０の形状を、外側部分８６の形状と一致させた場合には、カード型メディア８０を装着した際、段差５０とカード型メディア８０の基板８１の外周の一部とが略隙間のない状態で接する。
【００４２】
上記のような構成のアダプタ１０を異なる観点から見ると、アダプタ１０は、印刷面６０側の第１層と、記録面７０側の第２層との二層構造となっている。第１層の厚さは、上記段差５０の高さＴ２に等しく、第１層の中央には、カード型メディア８０の基板８１がちょうど収まる形状の略矩形の開口部が形成されている。第２層の厚さは、上記保持部３０の厚さＴ３に等しく、第２層の中央には、カード型メディア８０の中央部分８５がちょうど収まる形状の略小判型の開口部が形成されている。
【００４３】
以上のような構成のアダプタ１０にカード型メディア８０を装着するには、印刷面６０と、カード型メディア８０の記録部９０側の面とを互いに向き合わせ、開口部２０にカード型メディア８０の中央部分８５を嵌め込み、保持部３０（粘着層３５）にカード型メディア８０の外側部分８６を面接触させる。すると、接着剤の粘着力により、保持部３０に外側部分８６が粘着固定され、カード型メディア８０がアダプタ１０に装着される。
【００４４】
このとき、開口部２０の少なくとも一部または保持部３０の少なくとも一部が、装着の際、互いの回転中心が合致するように位置合わせをするための位置決め部材の役割を果たしている。つまり、アダプタ１０の凹凸のある部分（開口部２０の内周縁、または段差５０）により、カード型メディア８０の位置が規制されることによって、互いの回転中心が合致するように位置合わせされる。
【００４５】
一方、アダプタ１０に装着されたカード型メディア８０を取り外すには、カード型メディア８０の記録部９０側の面のうち記録部９０以外の部分を押して、保持部３０（粘着層３５）からカード型メディア８０の外側部分８６を剥がせばよい。このように、係止用の爪等を有する従来のアダプタと比べると、アダプタ１０へのカード型メディア８０の取り付け／取り外しを、極めて容易に行うことができ、アダプタ１０を繰り返し使用できる。しかも、アダプタ１０は、係止用の爪等を設けていないシンプルな構成であるため、容易かつ安価に製造することができる。
【００４６】
上述したように、段差５０の高さＴ２を、カード型メディア８０の外側部分８６の厚さｔ２以下とし、樹脂製の接着剤を極めて薄く塗布しておくことで、アダプタ１０にカード型メディア８０を装着した際、印刷面６０がカード型メディア８０の基板８１（印刷面８３）に対して突出することがなくなる。この場合、段差５０の高さＴ２を、外側部分８６の厚さｔ２と一致させることで、印刷面６０と印刷面８３とが略同一平面上に位置するようになる。
【００４７】
また、上述したように、保持部３０の厚さＴ３を、カード型メディア８０の段差８７の高さｔ３以下とし、樹脂製の接着剤を極めて薄く塗布しておくことで、アダプタ１０にカード型メディア８０を装着した際、記録面７０がカード型メディア８０の中央部分８５に対して突出することがなくなる。この場合、保持部３０の厚さＴ３を、段差８７の高さｔ３と一致させることで、記録面７０と中央部分８５の表面とが略同一平面上に位置するようになる。
【００４８】
このように、アダプタ１０の厚さを、装着されるカード型メディア８０の各部の厚さに応じて規制することで、カード型メディア８０を装着した際、アダプタ１０の両面がカード型メディア８０の両面に対して突出することがなくなる。つまり、カード型メディア８０が装着された状態のアダプタ１０全体の厚さがカード型メディア８０と一致している。これにより、カード型メディア８０を装着したアダプタ１０を一般のＣＤ等と同様に扱うことができ、スロット式の書き込み／読み出し装置に、カード型メディア８０を装着したアダプタ１０を出し入れする際、引っ掛かったりすることがなく、スムーズに出し入れすることができる。この結果、係止用の爪等を有する従来のアダプタでは対応不可能であったスロット式の読み出し／書き込み装置にも対応可能となる。
【００４９】
さらに、上述したように、開口部２０の形状を、カード型メディア８０の中央部分８５の形状と一致させて、開口部２０に中央部分８５がちょうど収まるようにすることで、開口部２０が、装着の際、互いの回転中心が合致するように位置合わせをするための位置決め部材となり、これにより、容易に位置合わせを行うことができる。
【００５０】
また、上述したように、保持部３０の形状を、カード型メディア８０の外側部分８６の形状と一致させて、保持部３０に外側部分８６がちょうど接するようにすることで、保持部３０（段差５０）が、装着の際、互いの回転中心が合致するように位置合わせをするための位置決め部材となり、これにより、容易に位置合わせを行うことができる。
【００５１】
このように、アダプタ１０の形状を、装着されるカード型メディア８０の各部の形状に応じて規制することで、カード型メディア８０を装着するときの位置合わせを行い易くなり、また、カード型メディア８０の装着が安定する。
【００５２】
次に、上記アダプタ１０の変形例について説明する。上述したように、アダプタ１０の開口部２０の形状、保持部３０の形状については、適宜変更を施すことができる。
【００５３】
変形例１によるアダプタ１００について、図５、図６を用いて説明する。なお、上記アダプタ１０と同様の構成については、詳しい説明を省略し、異なる構成について詳しく説明する。
【００５４】
図５、図６に示すように、アダプタ１００は、円盤状のベース部１４０と、ベース部１４０の中央部に形成される開口部１２０および保持部１３０とを備えている。保持部１３０には、カード型メディア８０の外側部分８６を再剥離可能に粘着固定するための粘着層１３５が設けられている。
【００５５】
上記アダプタ１０と異なる点は、開口部１２０の形状と保持部１３０の形状である。アダプタ１００の開口部１２０は、アダプタ１０の開口部２０よりも大きく形成されている。カード型メディア８０を装着した際、開口部１２０の内周縁の一部がカード型メディア８０の基板８１の外周の一部とが略隙間のない状態で接するが、開口部１２０の内周縁の残りの部分は接しない。
【００５６】
保持部１３０は、開口部１２０の外側に４つ形成されている。保持部１３０は、開口部１２０が大きく形成された分だけ、アダプタ１０の保持部３０よりも小さく形成されている。保持部１３０には、カード型メディア８０の外側部分８６の一部が面接触する。保持部１３０は、略三角状に形成され、ベース部１４０との境界に段差１５０が形成されている。保持部１３０の形状は図示したものに限定されない。
【００５７】
続いて、変形例２によるアダプタ２００について、図７、図８を用いて説明する。なお、上記アダプタ１０と同様の構成については、詳しい説明を省略し、異なる構成について詳しく説明する。
【００５８】
図７、図８に示すように、アダプタ２００は、円盤状のベース部２４０と、ベース部２４０の中央部に形成される開口部２２０および保持部２３０とを備えている。保持部２３０には、カード型メディア８０の外側部分８６を再剥離可能に粘着固定するための粘着層２３５が設けられている。
【００５９】
上記アダプタ１０と異なる点は、開口部２２０の形状と保持部２３０の形状である。アダプタ２００の開口部２２０は、円形に形成されて、アダプタ１０の開口部２０よりも大きく形成されている。開口部２２０の半径は、カード型メディア８０の回転中心から段差８７までの距離（この場合は、約４０ｍｍ）に等しく形成されている。カード型メディア８０を装着した際、開口部２２０の内周縁の一部と段差８７とが略隙間のない状態で接するが、開口部２２０の内周縁の残りの部分は接しない。
【００６０】
保持部２３０は、円環状に形成されて、開口部２２０の外側に形成されている。保持部２３０の外径は、カード型メディア８０の回転中心から基板８１の各角部までの距離（この場合は、約５０ｍｍ）に等しく形成されている。カード型メディア８０を装着した際、保持部２３０の一部に、カード型メディア８０の外側部分８６の全部が面接触し、また、保持部２３０とベース部２４０との境界に形成された段差２５０の一部にカード型メディア８０の基板８１の各角部が接する。
【００６１】
次に、変形例３によるアダプタ３００について、図９、図１０を用いて説明する。なお、上記アダプタ１０と同様の構成については、詳しい説明を省略し、異なる構成について詳しく説明する。
【００６２】
図９、図１０に示すように、アダプタ３００は、円盤状のベース部３４０と、ベース部３４０の中央部に形成される開口部３２０および保持部３３０とを備えている。保持部３３０には、カード型メディア８０の外側部分８６を再剥離可能に粘着固定するための粘着層３３５が設けられている。
【００６３】
上記アダプタ１０と異なる点は、保持部３３０の形状と、複数の突起３３１を設けた点である。アダプタ３００の保持部３３０は、開口部３２０の外側に、上記アダプタ１０の保持部３０よりも大きく形成されている。また、突起３３１複数（この例では８つ）の突起３３１が形成されており、これらの突起３３１は、装着されるカード型メディア８０の基板８１の外周の一部と接するようにベース部３４０から延びている。突起３３１の形状・数等は、図示したものに限定されない。また、粘着層３３５を、保持部３３０の全域に設けずに、カード型メディア８０の外側部分８６と接する部分に設けるようにしている。
【００６４】
次に、変形例４によるアダプタ４００について、図１１、図１２を用いて説明する。なお、上記アダプタ１０と同様の構成については、詳しい説明を省略し、異なる構成について詳しく説明する。
【００６５】
図１１、図１２に示すように、アダプタ４００は、円盤状のベース部４４０と、ベース部４４０の中央部に形成される開口部４２０および保持部４３０・４３１とを備えている。保持部４３０・４３１には、カード型メディア８０の外側部分８６を再剥離可能に粘着固定するための粘着層４３５・４３６が設けられている。
【００６６】
上記アダプタ１０と異なる点は、アダプタ１０の保持部３０と同様の保持部４３０に加えて、保持部４３１を設けた点と、開口部４２０の形状である。アダプタ４００の開口部４２０は、円形に形成されて、アダプタ１０の開口部２０よりも大きく形成されている。開口部４２０の半径は、カード型メディア８０の回転中心から段差８７までの距離（この場合は、約４０ｍｍ）に等しく形成されている。カード型メディア８０を装着した際、開口部２２０の内周縁の一部と段差８７とが略隙間のない状態で接するが、開口部２２０の内周縁の残りの部分は接しない。
【００６７】
保持部４３０は、上記アダプタ１０の保持部３０と同じ形状であり、開口部４２０の外側に２つ１組で形成されている。保持部４３１も同様に、上記アダプタ１０の保持部３０と同じ形状であり、開口部４２０の外側に２つ１組で形成されている。そして、保持部４３１は、保持部４３０をアダプタ４００の回転中心の周りに９０度回転させた位置に形成されている。保持部４３０・４３１とベース部４４０との境界には段差４５０・４５１が形成されている。このような保持部４３０・４３１を設けることによって、上述した利点に加えて次のような利点がある。
【００６８】
いずれか一方の保持部４３１に離型紙を貼り付けておき、アダプタ４００の使用を開始した直後に、カード型メディア８０を装着するために、離型紙が貼り付けられていない他方の保持部４３０のみを利用するようにする。アダプタ４００を繰り返し、保持部４３０に塗布されている樹脂製の接着剤の粘着力が次第に低下してくると、保持部４３１の離型紙を剥がす。離型紙を剥がした直後には、アダプタ４００の使用開始直後と略同等の粘着力があるため、カード型メディア８０の装着に保持部４３１を利用するようにすればよい。これにより、アダプタ４００を繰り返して使用できる回数が、上記アダプタ１０の約２倍になる。
【図面の簡単な説明】
【００６９】
【図１】本発明を適用するカード型情報記録担体用アダプタの一実施形態を示す斜視図である。
【図２】同じく平面図である。
【図３】同じく底面図である。
【図４】カード型情報記録担体用アダプタに装着されるカード型情報記録担体の斜視図である。
【図５】カード型情報記録担体用アダプタの変形例１を示す平面図である。
【図６】カード型情報記録担体用アダプタの変形例１を示す底面図である。
【図７】カード型情報記録担体用アダプタの変形例２を示す平面図である。
【図８】カード型情報記録担体用アダプタの変形例２を示す底面図である。
【図９】カード型情報記録担体用アダプタの変形例３を示す平面図である。
【図１０】カード型情報記録担体用アダプタの変形例３を示す底面図である。
【図１１】カード型情報記録担体用アダプタの変形例４を示す平面図である。
【図１２】カード型情報記録担体用アダプタの変形例４を示す底面図である。
【符号の説明】
【００７０】
１０  アダプタ
２０  開口部
３０  保持部
３５  粘着層
４０  ベース部
８０  カード型メディア
【図１】
2005339714.tif 000003
【図２】
2005339714.tif 000004
【図３】
2005339714.tif 000005
【図４】
2005339714.tif 000006
【図５】
2005339714.tif 000007
【図６】
2005339714.tif 000008
【図７】
2005339714.tif 000009
【図８】
2005339714.tif 000010
【図９】
2005339714.tif 000011
【図１０】
2005339714.tif 000012
【図１１】
2005339714.tif 000013
【図１２】
2005339714.tif 000014